(57)【特許請求の範囲】
【請求項１】
支持対象物用の固定具が係合可能な上方開口のアリ溝が前後両端面部に亘る状態で上面部に延設された一対の支持ブロックを前後方向に沿って並ぶ相対姿勢で連結する支持ブロック連結具であって、
基材の前後両端側の各々が、前記アリ溝に対して前後方向から挿入可能な外郭形状に構成されているとともに、
前記基材の前後両端側の各々の外面側には、前記アリ溝の内面に食い込む状態で前記アリ溝に係止可能な連結用の食い込み部が備えられており、
前記基材の前後中間位置には、前記支持ブロックの前後方向の端面部における前記アリ溝の周縁部に当接することによって前記基材の前後両端側の各々の前記アリ溝への挿入深さを規制する規制片が突出形成されており、
前記規制片が、前後方向の両外側辺部がそれぞれ外方ほど下方に位置する傾斜姿勢となる、側面視で台形状又は略台形状に形成されている支持ブロック連結具。
【請求項２】
前記基材の前後両端側の各々が、底壁部と左右の両側壁部とから上方が開口する形状に構成されているとともに、
前記食い込み部が、前記アリ溝の天井壁部の内面に食い込み可能なように前記基材の両側壁部の上端部に形成されている請求項１記載の支持ブロック連結具。
【請求項３】
前記基材の両側壁部が、前記アリ溝の底壁部から天井壁部までの高さ寸法よりも大なる高さ寸法に構成され、基材の前後両端側の夫々を前記アリ溝に対して前後方向から押込み挿入操作するのに連れて前記食い込み部が前記アリ溝の天井壁部の内面に食い込むように構成されている請求項２記載の支持ブロック連結具。
【請求項４】
前記基材の前後両端側の夫々を前記アリ溝に対して前後方向から押込み挿入操作するのに連れて前記食い込み部が前記アリ溝の内面に食い込むように、基材の前後両端側の外形寸法が前記アリ溝の内形寸法よりも大に構成されている請求項１記載の支持ブロック連結具。
【請求項５】
前記食い込み部が、側面視で山型状又は略山型状の尖状部から構成されているとともに、
前記尖状部の前後方向外方の外側辺部が、外方ほど下方に位置する傾斜姿勢に形成され、前記尖状部の前後方向内方の内側辺部が、前記外側辺部の傾斜姿勢よりも急傾斜となる姿勢に構成されている請求項３又は４記載の支持ブロック連結具。
【請求項６】
前記規制片が、前記基材の両側壁部の上端部に、前記基材の両側壁部及び前記食い込み部と同一平面状に形成されている請求項２記載の支持ブロック連結具。
【発明の詳細な説明】
【技術分野】
【０００１】
本発明は、管類（例えば、電線管や給排水管等）や機器類（例えば、空調機の室外機等）等の支持対象物を地面や屋上等の被設置面の上方側で支持する支持ブロックの連結に用いられる支持ブロック連結具に関し、特に、支持対象物用の固定具が係合可能な上方開口のアリ溝が前後両面部に亘る状態で上面部に延設された一対の支持ブロックを前後方向に沿って並ぶ相対姿勢で連結する支持ブロック連結具に関する。
【背景技術】
【０００２】
従来、この種の支持ブロック連結具としては、前記アリ溝の底壁部から天井壁部までの寸法よりも高さ寸法が小で、且つ、アリ溝の両側壁部間の寸法よりも外幅寸法が小に構成された上方が開口する横断面コの字状の金属製の基材の底壁部に、上方側からボルトを螺挿可能な雌ネジ部が貫通形成され、更に、前記基材の両側壁部の上端面が凹凸のない平坦面に形成されたものがある。
【０００３】
つまり、この従来の支持ブロック連結具は、前後方向に沿って並ぶ相対姿勢にある支持ブロックの対向面間で両アリ溝に亘る状態に基材を配設し、その後、ボルトを前記雌ネジ部に螺挿操作することによって、先端がアリ溝の底壁部に当たる状態で回転するボルトに対して基材が相対的に上方側に移動されて基材の左右の両側壁部の平坦な上端面が両アリ溝の天井壁部の内面に押し付けられ、その押し付け摩擦力でもって基材とアリ溝とが係止状態となって一対の支持ブロックが連結される。
【発明の概要】
【発明が解決しようとする課題】
【０００４】
ところが、基材の左右側壁部の平坦な上端面とアリ溝の天井壁部との押し付け摩擦力でもって一対の支持ブロックを連結する上記従来の技術では、かなり強い力でボルトを締め付けなければ十分な押し付け摩擦力を得ることができず、そのことで、一対の支持ブロックを十分な連結力で連結するが難しい問題があった。
【０００５】
本発明は、上述の実状に鑑みて為されたものであって、その主たる課題は、一対の支持ブロックを十分な連結力で容易に連結することのできる支持ブロック連結具を提供する点にある。
【課題を解決するための手段】
【０００６】
本発明の第１特徴構成は、支持対象物用の固定具が係合可能な上方開口のアリ溝が前後両端面部に亘る状態で上面部に延設された一対の支持ブロックを前後方向に沿って並ぶ相対姿勢で連結する支持ブロック連結具であって、
基材の前後両端側の各々が、前記アリ溝に対して前後方向から挿入可能な外郭形状に構成されているとともに、
前記基材の前後両端側の各々の外面側には、前記アリ溝の内面に食い込む状態で前記アリ溝に係止可能な連結用の食い込み部が備えられており、
前記基材の前後中間位置には、前記支持ブロックの前後方向の端面部における前記アリ溝の周縁部に当接することによって前記基材の前後両端側の各々の前記アリ溝への挿入深さを規制する規制片が突出形成されており、
前記規制片が、前後方向の両外側辺部がそれぞれ外方ほど下方に位置する傾斜姿勢となる、側面視で台形状又は略台形状に形成されている点にある。
【０００７】
上記構成によれば、前後方向に沿って並ぶ相対姿勢にある一対の支持ブロックの対向面間で基材の前後両端側の夫々を一対の支持ブロックのアリ溝の夫々に前後方向から挿入し、且つ、前記食い込み部の各々をアリ溝の夫々の内面に食い込ませることによって、一対の支持ブロックを連結することができる。
【０００８】
そして、基材の前後両端側の夫々とアリ溝の内面の夫々とが食い込み部が食い込んだ状態で係止されるから、押し付け摩擦力で係止する先述の従来技術に比べ、基材の前後両端側の各々とアリ溝の夫々との係止力を容易且つ確実に得ることができ、これにより、一対の支持ブロックを十分な連結力で容易に連結することが可能になる。
ここで、基材の前後両端側の各々を一対の支持ブロックのアリ溝の各々に係止させることで一対の支持ブロックを連結する連結構造において、一方の支持ブロックとの係止力（アリ溝に対する挿入量）が大きくなれば、他方の支持ブロックとの係止力（アリ溝に対する挿入量）が小さくなって、結果的に、所定の連結力が得られない。
これに対し、基材の前後中間位置に規制片が形成された上記構成によれば、一方の支持ブロックとの係止力と他方の支持ブロックとの係止力とを同じ又は略同じにすることができるから、一対の支持ブロックを連結するに際して、所定の連結力を容易且つ確実に得ることができる。
また、規制片が側面視で台形状又は略台形状に形成される上記構成によれば、基材の前後両端側をアリ溝の内部に押込み操作したとき、支持ブロックの前後方向の端面部におけるアリ溝の周縁部に規制片を僅かにめり込ませることができる。よって、一対の支持ブロックを連結したときの両支持ブロックどうしの隙間を小さくすることができる。
【０００９】
本発明の第２特徴構成は、前記基材の前後両端側の各々が、底壁部と左右の両側壁部とから上方が開口する形状に構成されているとともに、
前記食い込み部が、前記アリ溝の天井壁部の内面に食い込み可能なように前記基材の両側壁部の上端部に形成されている点にある。
【００１０】
つまり、例えば、前記食い込み部が前記アリ溝の底壁部の内面に食い込み可能なように前記両側壁部の下端部や底壁部の下面部に形成されている場合、基材をアリ溝の内面に係止させた状態では、アリ溝の天井壁部と基材の底壁部との間の空間（つまり、固定具を係止するためのアリ溝の有効空間）が食い込み部の存在分（正確には、食い込み部の高さ寸法から底壁部に対する食い込み深さを差し引いた分）だけ小さくなってしまう。
【００１１】
これに対し、前記食い込み部が前記アリ溝の天井壁部の内面に食い込み可能なように前記両側壁部の上端部に形成されている上記構成であれば、基材の底壁部をアリ溝の底壁部に極力近づけた状態で基材をアリ溝の内面に係止させることができ、アリ溝の天井壁部と基材の底壁部との間の空間（つまり、固定具を係止するためのアリ溝の有効空間）を広く確保することができる。
【００１２】
本発明の第３特徴構成は、前記基材の両側壁部が、前記アリ溝の底壁部から天井壁部までの高さ寸法よりも大なる高さ寸法に構成され、基材の前後両端側の夫々を前記アリ溝に対して前後方向から押込み挿入操作するのに連れて前記食い込み部がアリ溝の天井壁部の内面に食い込むように構成されている点にある。
【００１３】
上記構成によれば、前記前後両端側の各々を前記アリ溝の各々に対して前後方向から押込み挿入操作するだけで、アリ溝の内面に食い込み部を食い込ませることができるから、一対の支持ブロックの連結操作を一層容易にすることができる。
【００１４】
しかも、基材をアリ溝の内面に係止させた状態で、基材の底壁部をアリ溝の底壁部に極力近づけた状態にすることができ、アリ溝の天井壁部と基材の底壁部との間の空間（つまり、固定具を係止するためのアリ溝の有効空間）を広く確保することができる。
【００１５】
本発明の第４特徴構成は、前記基材の前後両端側の夫々を前記アリ溝に対して前後方向から押込み挿入操作するのに連れて前記食い込み部がアリ溝の内面に食い込むように、基材の前後両端側の外形寸法がアリ溝の内形寸法よりも大に構成されている点にある。
【００１６】
上記構成によれば、前記前後両端側の各々を前記アリ溝の各々に対して前後方向から押込み挿入操作するだけで、アリ溝の内面に食い込み部を食い込ませることができるから、一対の支持ブロックの連結操作を一層容易にすることができる。
【００１７】
本発明の第５特徴構成は、前記食い込み部が、側面視で山型状又は略山型状の尖状部から構成されているとともに、
前記尖状部の前後方向外方の外側辺部が、外方ほど下方に位置する傾斜姿勢に形成され、前記尖状部の前後方向内方の内側辺部が、前記外側辺部の傾斜姿勢よりも急傾斜となる姿勢に構成されている点にある。
【００１８】
上記構成によれば、支持ブロックを連結するための押込み挿入操作に対する移動抵抗を小さくして連結操作を行い易くすることができながら、支持ブロックの連結を解除するための引き抜き操作に対する移動抵抗は大きくして不測に連結が解除され難くすることができる。
【００１９】
本発明の第６特徴構成は、前記規制片が、前記基材の両側壁部の上端部に、前記基材の両側壁部及び前記食い込み部と同一平面状に形成されている点にある。
【図面の簡単な説明】
【００２２】
【図１】支持ブロック連結構造を示す斜視図
【図２】支持ブロック連結構造の分解斜視図
【図３】支持ブロック連結具の斜視図
【図４】支持ブロック連結具の側面図
【図５】支持ブロック連結構造の要部の横断面図
【図６】支持ブロック連結構造の要部の縦断面図
【発明を実施するための形態】
【００２３】
図１は、電線管や給排水管等の管類Ｐ（図１参照）や空調機の室外機等の機器類（図示しない）などの支持対象物を被設置面Ｇから所定高さ位置で支持する一対の支持ブロックＡを前後方向に沿って並ぶ相対姿勢で支持ブロック連結具Ｔを介して連結した連結構造を示す。
【００２４】
前記支持ブロックＡは、図１、図２、図５、図６に示すように、樹脂（本例では、再生プラスチック）で成形される横断面視略台形状のブロック本体１と、それに内装されたスラグコンクリート製の重量調整用ブロック（図示しない）とから構成されているとともに、前記ブロック本体１の上面部には、管類Ｐを支持ブロックＢに固定する押え金具１０（固定具の一例）が係合可能なアリ溝４が備えられている。
【００２５】
当該アリ溝４は、ブロック本体１の上面部１Ａの左右幅方向（短辺方向）中央位置において前後方向両端面部１Ｂに亘る状態で前後方向（長辺方向）に沿って窪み形成された凹溝４ａと、この凹溝４ａを構成する左右の両側壁部４ｂと底壁部４ｃとのうち、両側壁部４ｂの上端から左右幅方向中央側に向かって一体的に突出形成された左右一対の天井壁部４ｄとから構成されている。
【００２６】
つまり、当該支持ブロックＡは、図１に示すように、前記押え金具１０の両押え板１０Ａの下部側に形成された係合部１０ａを前記支持ブロックＡの凹溝４ａに係入し、両押え板１０Ａの上部同士をボルト１０Ｂ、ナット１０Ｃで締付け連結することにより、ブロック本体１の上面部１Ａにおける載置部としての頂部側上面部分に載置されている管類Ｐを締付け固定することができる。
【００２７】
前記支持ブロック連結具Ｔは、図１〜図６に示すように、前後両端側５Ａの各々がアリ溝４に対して前後方向から挿入可能な外郭形状に構成された板金製の基材５の前後両端側５Ａの各々の上端部（外面側の一例）に、アリ溝４に挿入した状態でアリ溝４の内面に食い込んでアリ溝４に係止可能な連結用の食い込み部６を形成して構成されている。当該基材５は、底壁部５ｃと左右の両側壁部５ｂとからなる上方に開口する横断面視略コの字状に折り曲げ形成されている。
【００２８】
前記基材５の前後両端側５Ａの外形寸法は、前後両端側５Ａの各々をアリ溝４に対して前後方向から押込み挿入操作するのに連れて前記食い込み部６がアリ溝４の内面に食い込むようにアリ溝４の内形寸法よりも大に構成されている。
【００２９】
具体的には、図５に示すように、基材５の前後両端側５Ａの各々の左右の両側壁部５ｂの高さ寸法ｈ５が、アリ溝４の底壁部４ｃから天井壁部４ｄまでの寸法ｈ４よりも僅かに大なる寸法（本例では、０．３ｍｍほど大なる寸法）に構成されているとともに、基材５の前後両端側５Ａの各々の左右の両側壁部５ｂの外幅寸法ｗ５が、アリ溝４の左右の両側壁部４ｂの間の寸法ｗ４よりも小なる寸法に構成されている。
【００３０】
前記食い込み部６は、前後両端側５Ａの各々をアリ溝４に対して前後方向から押込み挿入操作するのに連れてアリ溝４の天井壁部４ｄの内面に食い込み可能なように、基材５の前後両端側５Ａの各々の両側壁部５ｂの上端部に前後方向の一定範囲に一体的に形成されている。当該食い込み部６は、側面視で山型状又は略山型状の尖状部６Ａの複数個が前後方向に並ぶ鋸刃形状に構成されている。
【００３１】
前記尖状部６Ａの前後方向外方の外側辺部６ａは、外方ほど下方に位置する傾斜姿勢（つまり、前後方向で外方下がりの傾斜姿勢）に形成されているとともに、尖状部６Ａの前後方向内方の内側辺部６ｂが、外側辺部６ａの傾斜姿勢よりも急傾斜となる姿勢、本例ででは、略垂直となる姿勢に構成されている。
【００３２】
また、前記尖状部の外側辺部６ａと内側辺部６ｂとの接続箇所は、使用するときに操作者が手指を怪我しないように緩やかな円弧状に面取りされている。
【００３３】
前記基材５の左右の両側壁部５ｂの前後中央位置の上端部、つまり、前記食い込み部６どうしの間の箇所には、ブロック本体１の前後両壁部１Ｂにおけるアリ溝４の周縁部に当接することによって、基材５の前後両端側５Ａの各々のアリ溝４への挿入深さを所定深さに規制するセンター合わせ用の規制片７が突出形成されている。当該規制片７の上方への突出寸法は、食い込み部６の尖状部６Ａの突出寸法の約２倍弱に構成されている。
【００３４】
前記規制片７は、前後方向の両外側辺部７ａが外方下がりの急傾斜姿勢となる側面視略台形状に構成されている。そのため、基材５の前後両端側５Ａをアリ溝４の内部に押込み操作したときに支持ブロックＡの前後両側壁部１Ｂにおけるアリ溝４の周縁部に僅かにめり込ませる形態で、一対の支持ブロックＡを連結したときの支持ブロックＡどうしの隙間を小さくすることもできる。
【００３５】
また、基材５の左右の両側壁部５ｂの前後両端部、つまり、前記食い込み部６の前後方向の外方箇所には、食い込み部６が形成された部分よりも高さが低く、且つ、角部が曲面状に面取りされた把持部８が形成されている。当該把持部８と食い込み部６との間には、食い込み部６の前後方向の両外端の尖状部６Ａの外側辺部６ａから下方に向かって延伸する外方下がりの傾斜辺部９が形成されている。
【００３６】
つまり、前記食い込み部６の前後方向の外方箇所に前記把持部８を形成することによって、操作者が当該支持ブロック連結具Ｔを把持する際に手指を怪我するのを抑止し得るように構成されている。
【００３７】
上述の如く構成された連結具Ｔを用いて一対の支持ブロックＡを連結するには、先ず、一方の支持ブロックＡに支持ブロック連結具Ｔの基材５の前後両端側５Ａの一方を前後方向に沿って手作業や金槌等の押込み手段を用いて押込み操作し、基材５の前後両端側５Ａの一方の全てを一方の支持ブロックＡのアリ溝４の内部に挿入する。
【００３８】
この押込み挿入操作によって基材５の前後両端側５Ａの一方の食い込み部６が一方の支持ブロックＡのアリ溝４の内面に食い込み、一方の支持ブロックＡのアリ溝４に基材５の前後両端側５Ａの一方が係止する。
【００３９】
次に、例えば、支持ブロック連結具Ｔが係止された一方の支持ブロックＡを支持ブロック連結具Ｔが上方に位置するように被設置面Ｇ等に縦向き姿勢で置き、他方の支持ブロックＡを縦向きの姿勢にして連結具Ｔの基材５の前後両端側５Ａの他方側にアリ溝４を当て付けた状態で他方の支持ブロックＡを下方に押し下げる（押込み挿入操作の一例）ことによって、基材５の前後両端側５Ａの他方の全てを他方の支持ブロックＡのアリ溝４の内部に挿入する。
【００４０】
この押込み挿入操作によって基材５の前後両端側５Ａの他方の食い込み部６が他方の支持ブロックＡのアリ溝４の内面に食い込み、他方の支持ブロックＡのアリ溝４に基材５の前後両端側５Ａの他方が係止し、これにより、一対の支持ブロックＡが連結される。
【００４１】
［その他の実施形態］
（１）前述の実施形態の改良として、前記基材６の底壁部に上方側からボルトを螺挿可能な雌ネジ部が貫通形成してもよい。このようにすれば、製造誤差等でアリ溝４の底壁部４ｃと天井壁部４ｄの間の寸法が基材５の前後両端側の高さ寸法と同じかそれよりも大であった場合でも、ボルトを前記雌ネジ部に螺挿操作することによって先端がアリ溝４の底壁部４ｃに当たる状態で回転するボルトに対して基材５を相対的に上動させて前記食い込み部６をアリ溝４の内面に食い込ませることができる。
【００４２】
（２）前述の実施形態では、前記食い込み部６が、アリ溝４の天井壁部４ｄの内面に食い込み可能なように基材５の上端部に上向きに突出する状態で形成されている場合を例に示したが、例えば、アリ溝４の側壁部４ｂの内面に食い込み可能なように基材５の上端部や上下中間部或いは下端部に横外方向きに突出する状態で形成されていたり、アリ溝４の底壁部４ｃの内面に食い込み可能なように基材５の下端部に下向きに突出する状態で形成されていたりしてもよい。
【００４３】
（３）前述の実施形態では、前記食い込み部６が複数の尖状部６Ａから構成されている場合を例に示したが、１つの尖状部６Ａ等から構成されていてもよい。
【００４４】
（４）前述の実施形態では、前記基材５の前後両端側５Ａの外形寸法が前記アリ溝４の内形寸法よりも大に構成されている場合を例に示したが、基材５の前後両端側５Ａの外形寸法がアリ溝４の内形寸法と同じかそれよりも小に構成されていてもよい。
【符号の説明】
【００４５】
Ａ        支持ブロック
Ｔ        支持ブロック連結具
４        アリ溝
５        基材
５Ａ      前後両端側
５ｂ      基材の両側壁部
６        食い込み部
６Ａ      尖状部
６ａ      外側辺部
６ｂ      内側辺部
７        規制片
１０      固定具（押え金具）
【図１】
0005572888.tif 000002
【図２】
0005572888.tif 000003
【図３】
0005572888.tif 000004
【図４】
0005572888.tif 000005
【図５】
0005572888.tif 000006
【図６】
0005572888.tif 000007